(57)【要約】【課題】長尺接着シートの表面に印刷を施し各種形状にダイカットした後、連続状カス部を除去する工程におけるカス切れ問題を解決する補強方法、ラベル加工方法、貼付装置及びラベル加工装置を提供することにある。【解決手段】長尺接着シート１をダイカットした後、連続状カス部２２の両側の側縁カス部２２Ａ、２２Ａに補強部材５、５をそれぞれ貼付し、その後、剥離シート４から連続状カス部２２を補強部材５、５とともに分離しカス上げする。【選択図】図２
2008044171.tif 000002
【特許請求の範囲】
【請求項１】
表面基材と接着剤層と剥離シートを有する長尺接着シートにおいてラベル部とこのラベル部以外の連続状カス部とを設ける打ち抜きを行い、上記剥離シートから上記連続状カス部を取り除くカス上げを行うにあたり、
上記カス上げを行う前に、上記連続状カス部又はこの連続状カス部に相当する部位に補強部材を貼付することを特徴とする補強方法。
【請求項２】
上記補強部材は、上記連続状カス部又はこの連続状カス部に相当する部位の表面上に連続的に貼付される
ことを特徴とする請求項１に記載の補強方法。
【請求項３】
上記補強部材の幅が、上記連続状カス部又はこの連続状カス部に相当する部位の幅よりも狭いことを特徴とする請求項１あるいは２に記載の補強方法。
【請求項４】
上記１乃至３のいずれか１項に記載の補強方法に加え、上記補強部材を貼付した後に上記カス上げを行う工程を有することを特徴とするラベル加工方法。
【請求項５】
表面基材と接着剤層と剥離シートを有する長尺接着シートにおいてラベル部とこのラベル部以外の連続状カス部とを設ける打ち抜きを行い、上記剥離シートから上記連続状カス部を取り除くカス上げを行うにあたり、
上記カス上げを行う前に、上記連続状カス部又はこの連続状カス部に相当する部位に補強部材を貼付することを特徴とする貼付装置。
【請求項６】
上記貼付装置に加え、上記連続状カス部をカス上げする分離装置を有することを特徴とするラベル加工装置。
【発明の詳細な説明】
【技術分野】
【０００１】
本発明は、ラベル印刷などラベル加工に関し、詳しくは連続状カス部を除去するカス上げ工程において、カス切れ問題を解決する補強方法、ラベル加工方法、貼付装置及びラベル加工装置に関する。
【背景技術】
【０００２】
従来より、表面基材と接着剤層と剥離シートとからなる長尺接着シートは、その表面に印刷が施され、各種形状に打ち抜きされるとともに、ラベル部以外の不要部分が除去された後、ロール状に巻回されたり、シート状に形成されて接着ラベル製品として製造・販売されている。
【０００３】
この接着ラベル製品は、例えば、図１１に示すラベル製造装置により製造される。以下に接着ラベル製品の製造工程について図１１〜図１３を参照して説明する。図１１はラベル製造装置を示す概略図、図１２はダイカット後の長尺接着シートの状態を示す図であり、（ａ）は斜視図、（ｂ）は（ａ）のＸ−Ｘ断面図、図１３はカス上げ工程を示す斜視図である。
【０００４】
ラベル製造装置１００は、送り出しロール１０、印刷機２０、乾燥機３０、ダイカット装置４０及び分離装置５０からなり、送り出しロール１０には、ロール状に巻回された長尺接着シート１が装着されている。送り出しロール１０から送り出された長尺接着シート１は、印刷機２０によりその表面に印刷が施され、乾燥機３０により印刷した部分を乾燥した後、ダイカット装置４０によりラベル部２１と連続状カス部２２とにダイカットされる。これにより、上部から表面基材２、接着剤層３及び剥離シート４の順に積層された長尺接着シート１には、表面基材２及び接着剤層３にダイカット溝Ｃが施されて、剥離シート４上にラベル部２１と連続状カス部２２とが形成される。その後、長尺接着シート１は分離装置５０において、連続状カス部２２が、分離ロール５１により剥離シート４上から分離されてカス巻上げロール５３により巻き取られる一方、ラベル部２１が積層された剥離シート４は、図示しない巻取りロールによりロール状に巻回されて接着ラベル製品となる。
【０００５】
ここで、ラベル部以外のカス部を効率良く除去するために、このカス部は図１２（ａ）に示す形状として排出されることが多い。すなわち、このカス部は、図１２（ａ）に示すような長尺方向に沿って両側に形成された側縁カス部２２Ａと、この側縁カス部２２Ａのそれぞれの間を横架する横架カス部２２Ｂとからなる連続状カス部２２として排出される。また、連続状カス部２２の排出量は少なければ少ないほど、長尺接着シート１から歩留まりよくラベル部２１を製造出来るため、その結果として、側縁カス部２２Ａ及び横架カス部２２Ｂの幅は狭くすることが好まれる。
【０００６】
ここで、連続状カス部２２は、図１１及び図１３に示すように、分離ロール５１により剥離シート４から分離され、カス巻上げロール５３により巻き取られるが、この巻取りの際、特に側縁カス部２２Ａに巻取りテンションがかかるため、側縁カス部２２Ａの幅が狭かったり、巻取り速度が速すぎたり、表面基材２が脆質なものである場合には、側縁カス部２２Ａが切れてしまい（以下「カス切れ」と称する）カス取り不良が生じる。
【０００７】
上記カス切れを防止するものとして、例えば、下記特許文献１に記載のタック紙加工装置のようなものがある。このタック紙加工装置（１）は、台紙にタック紙を張り合わせてなるタック用紙（２）からパンチ装置（３ａ、３ｂ）にて上記タック紙を打ち抜き、その後台紙よりタック紙粕（２ａ）を剥離するものであり、パンチ装置（３ａ、３ｂ）の下流側で、かつ台紙より剥離したタック紙粕（２ａ）の排出経路に、表面駆動方式と中心駆動方式の少なくとも一方の粕巻上げ装置（４ａ、４ｂ）を設けるとともに、粕巻上げ装置（４ａ、４ｂ）にて巻き上げられるタック紙粕（２ａ）に補強紙（４７）を供給する補強紙供給装置（６）を設けて構成されている。
【０００８】
このタック紙加工装置（１）によれば、巻き上げられるタック紙粕（２ａ）の裏側に補強紙（４７）を沿わせることにより、タック紙粕（２ａ）を補強し粕切れを防止することが可能である。しかしながら、タック紙粕（２ａ）が台紙から剥離されてから、補強紙（４７）によりタック紙粕（２ａ）が補強されるまでの間には、（図１）及び（図２）に示すように、表面駆動ローラ（７ａ、７ｂ）による巻き上げテンションがタック紙粕（２ａ）のみにかかり、この間における粕切れが生ずる恐れがあり、粕切れ防止策としては十分とは言えなかった。以上括弧内の符号及び図番は特許文献１に用いられているものである。
【０００９】
【特許文献１】特開２０００−１４１５１２号公報
【発明の開示】
【発明が解決しようとする課題】
【００１０】
本発明は、上記問題点に鑑みてなされたものであり、その目的は、長尺接着シートを構成する表面基材が脆質なものであっても、カス切れの防止が図れる補強方法、ラベル加工方法、貼付装置及びラベル加工装置を提供することにある。
【課題を解決するための手段】
【００１１】
上記目的を達成するために、本発明の補強方法は、表面基材と接着剤層と剥離シートを有する長尺接着シートにおいてラベル部とこのラベル部以外の連続状カス部とを設ける打ち抜きを行い、上記剥離シートから上記連続状カス部を取り除くカス上げを行うにあたり、上記カス上げを行う前に、上記連続状カス部又はこの連続状カス部に相当する部位に補強部材を貼付することを特徴とする。
【００１２】
同様に、上記目的を達成するために、本発明の貼付装置は、表面基材と接着剤層と剥離シートを有する長尺接着シートにおいてラベル部とこのラベル部以外の連続状カス部とを設ける打ち抜きを行い、上記剥離シートから上記連続状カス部を取り除くカス上げを行うにあたり、上記カス上げを行う前に、上記連続状カス部又はこの連続状カス部に相当する部位に補強部材を貼付することを特徴とする。
【００１３】
また、本発明のラベル加工方法は、上記補強方法に加え、上記補強部材を貼付した後に上記カス上げを行う工程を有することを特徴とする。
【００１４】
同様に、本発明のラベル加工装置は、上記貼付装置に加え、上記連続状カス部をカス上げする分離装置を有することを特徴とする。
【００１５】
例えば、ロール状に巻回された長尺接着シートを送り出し、打ち抜き加工をしてラベル部を製造すると同時に、ラベル部以外の不要な部分であるカス部を巻き上げ除去し、剥離シートにラベル部のみが貼付されたロール状のラベル製品を製造するためには、このカス部は途切れることなく連続状に排出される必要がある。ここでは、この状態で排出されるカス部を連続状カス部と称している。そして、この連続状カス部を巻取りロール等により巻き上げ除去する際には、連続状カス部に対し巻取りテンションが生じる。
【００１６】
ここで、長尺接着シートにおける表面基材の材質は、求められるラベル性能に応じて種々選択されるため、比較的脆質なものが選択される場合があり、表面基材が脆質なものであれば、その結果、連続状カス部の巻取りテンションに対する強度も低下する。また、長尺接着シートからラベル部を歩留まりよく製造するためには、連続状カス部の排出量は少なければ少ない方がよいので、その結果、連続状カス部の巻取りテンションに対する強度も低下する。その他、巻取り速度が速ければ、連続状カス部にはその分余計に巻取りテンションがかかりカス切れが生じ易くなる。
【００１７】
そこで、本発明においては、巻き取りテンションに対する連続状カス部の強度を補強すべく、この巻き取りテンションがかかる前に連続状カス部又はこの連続状カス部に相当する部位に対し補強部材を貼付するように構成している。ここで、上記連続状カス部に相当する部位とは、長尺接着シートに打ち抜き加工が施される前において、将来的に上記連続状カス部になる部位を意味する。要するに、カス上げの際に連続状カス部に補強部材が貼付されていればよいので、長尺接着シートに打ち抜き加工が施される前に、将来的に連続状カス部となる部位に予め補強部材を貼付しておけば、長尺接着シートに打ち抜き加工が施され連続状カス部が形成された後に補強部材を貼付するのと、同様の効果を奏し得ることとなる。
【００１８】
また、上記打ち抜きとは、剥離シートに切れ目を入れずに表面基材と接着剤層だけを切断し切れ柄目を入れる、いわゆるハーフカットのことを言い、例えば、抜き刃を用いるダイカットや、レーザーを用いるレーザーカットなどがある。
【００１９】
上記連続状カス部の上記強度は、巻き取り速度及び表面基材の材質と、連続状カス部の上記テンションが特にかかる部分の幅によって決定されるので、連続状カス部の強度の不足分を補うように補強部材を貼付すればよい。
【００２０】
補強部材としては、ポリエチレン、ポリプロピレン、塩化ビニル、ポリエチレンテレフタレート、ナイロン等のフィルムや、紙、含浸紙及び金属箔など種々のものが適用可能である。
【００２１】
上記のようにして、カス上げを行う前に上記連続状カス部又はこの連続状カス部に相当する部位に補強部材を貼付した後に、上記カス上げを行うようにする。
【００２２】
また、補強部材は、上記テンションに対する連続状カス部の強度を補強すべく貼付されるものであるので、特に上記テンションが強くかかる部分にのみ貼付されるようにしてもよいし、連続状カス部又はこの連続状カス部に相当する部位の表面上に連続的に貼付されるようにしてもよい。
【００２３】
上記補強部材の幅が、上記連続状カス部又はこの連続状カス部に相当する部位の幅よりも狭くなるように構成してもよい。排出されるカスは、通常、図１３に示すような長尺方向に沿って両側に形成された側縁カス部２２Ａと、この側縁カス部２２Ａのそれぞれの間を横架する横架カス部２２Ｂとからなる連続状カス部２２として排出されるが、上記打ち抜きの仕方によっては、横架カス部２２Ｂに相当する部位が排出されない場合もある。
従って、上記連続状カス部又はこの連続状カス部に相当する部位の幅とは、上記前者後者においても必ず排出される長尺方向に沿って排出されるカス部の幅である。このように、補強部材の幅を上記連続状カス部又はこの連続状カス部に相当する部位の幅より狭くすることにより、補強部材がラベル部に貼付することを回避可能となるので、その結果、ラベル部が補強部材に貼付して共に巻き取られるのを防止することができる。
【発明の効果】
【００２４】
以上説明したように本発明によれば、カス上げを行う前に、連続状カス部又はこの連続状カス部に相当する部位に補強部材を貼付するようにしたため、簡易な構成でカス切れ問題の解決が図れる。
【発明を実施するための最良の形態】
【００２５】
以下、本発明の第１の実施形態について、添付した図面を参照しながら説明する。図１は本発明のラベル加工装置を適用したラベル製造装置を示す概略図、図２は本発明のラベル加工装置の断面図、図３は分離装置における部材の変形例を示す断面図、図４は本発明の補強工程を示す斜視図、図５は側縁カス部に補強部材が貼付された状態を示す斜視図、図６は図５のＹ−Ｙ断面図をそれぞれ示す。
【００２６】
まず、本発明の第１実施形態について、図１〜図６を参照して説明する。本実施形態においては、本発明のラベル加工装置およびこの装置により実行されるラベル加工方法を、ラベル製造装置に適用した場合を示しており、上記説明した従来の構成と同一の構成及び機能を有するものには同一の符号を付してある。なお、本実施形態においては、本発明のラベル加工装置は、貼付装置及び分離装置とから構成されるとしているが、これに限定されるものではない。たとえば、以下に説明する貼付装置及び分離装置を含んだ装置であれば本発明のラベル加工装置に該当するものと言え、下記のラベル製造装置もこれら貼付装置及び分離装置からなる本発明のラベル加工装置を含むものであるので、広義の意味では本発明のラベル加工装置に該当するものと言える。以下、適宜図１１〜図１３も参照して説明する。
【００２７】
図１に示す通り、本発明のラベル加工装置７０を適用したラベル製造装置１００Ａは、送り出しロール１０、印刷機２０、乾燥機３０、ダイカット装置４０を備える点においては、図１１に示す従来のラベル製造装置１００と同様である。また、送り出しロール１０には、上部から表面基材２、接着剤層３及び剥離シート４がこの順で積層された長尺接着シート１が装着されており、送り出しロール１０から送り出された長尺接着シート１は、印刷機２０によりその表面に印刷が施され、乾燥機３０により印刷した部分を乾燥した後、ダイカット装置４０によりラベル部２１と連続状カス部２２とにダイカットされる点においても、上述した図１１に示すラベル製造装置１００と同様である。
【００２８】
なお、ここでは、ダイカットにより、ラベル部２１の形状は長方形状に形成されているが、これに限定されるものではなく、例えば、円形、楕円形等種々の形状でラベル部２１は形成可能である。
【００２９】
本実施形態においては、長尺接着シート１に構成される表面基材２として、脆質塩化ビニルフィルムや極薄箔の基材からなる脆質基材を使用しているが、その他、フィルム、紙、金属箔等所望のものが使用できる。要するに、この表面基材２の材質は、求められるラベル性能により適宜選択されることとなる。
【００３０】
また、接着剤層３としては、アクリル系、ゴム系、シリコーン系など一般的な接着剤が使用可能である。剥離シート４には、フィルムや紙などの基材片面にシリコーン樹脂などからなる剥離剤が塗布形成された剥離層が必要により設けられる。
【００３１】
他方、ラベル加工装置７０は、分離装置５０及び貼付装置６０とからなる。図１及び図６に示すように、ダイカット装置４０によって表面基材２及び接着剤層３にダイカット溝Ｃが施されて、剥離シート４上にラベル部２１と連続状カス部２２とが形成された長尺接着シート１が、ラベル加工装置７０に送り出される。
【００３２】
貼付装置６０は、図１及び図２に示すように、ダイカット装置４０と分離装置５０との間に配置されており、ロール状に巻回した補強部材５を送り出す補強部材供給ロール６１と、補強部材５を連続状カス部２２に貼付する貼付ロール６２とからなり、必要により連続状カス部２２に補強部材５が貼付されるための貼付支持ロール６３を追加してもよい。
【００３３】
補強部材５は、図４に示すように、ロール状に巻回されて補強部材供給ロール６１に装着されている。ここでは、ロール状に巻回された２本の補強部材５、５が補強部材供給ロール６１に装着されており、ダイカットされた長尺接着シート１に対し送り出される。また、補強部材５は、図５及び図６に示すように、連続状カス部２２の両側の側縁カス部２２Ａ、２２Ａの表面に貼付されるものであり、貼着剤層７に補強シート６が積層されて構成されている。なお、補強部材５は後述するように側縁カス部２２Ａ、２２Ａに貼付されてその強度が補強できればよく、例えば単独で自着性を示す１層のフィルムからなってもよい。
【００３４】
同様に、補強シート６の材質も、側縁カス部２２Ａ、２２Ａの強度が補強出来ればよいので、ポリエチレン、ポリプロピレン、塩化ビニル、ポリエチレンテレンテレフタレート、ナイロンなどのフィルムや、紙、含浸紙及び金属箔など、種々のものが適用可能である。更に、補強シート６の厚みに関しても、側縁カス部２２Ａ、２２Ａの強度を補強出来る厚みであれば種々選択可能であるが、１０〜１００μｍの厚みのものが好適である。
【００３５】
また、貼着剤層７は、接着力の強い接着剤であっても接着力の弱い接着剤であってもよく、要するに、補強部材５が側縁カス部２２Ａ、２２Ａに貼付されることにより、連続状カス部２２が巻き取られる際に、側縁カス部２２Ａ、２２Ａにかかる巻き取りテンションに対する強度を補強できるように側縁カス部２２Ａ、２２Ａに接着しているものであればよい。例えば、この貼着剤層７を構成する接着剤としては、アクリル系又はゴム系の接着剤があり、その層の厚みは１０〜１００μｍが好ましい。なお、補強シート６の表面には、シリコーン樹脂等からなる離型層が設けられているのが好ましい。このように形成することにより、剥離シートを必要とせず、補強部材５はロール状に巻回可能となるからである。
【００３６】
分離装置５０は、図１１に示す分離装置５０と同様に、分離ロール５１、分離支持ロール５２及びカス巻上げロール５３から構成されている。また、図１３に示すように、連続状カス部２２が、分離ロール５１により剥離シート４上から分離されるとともに、ラベル部２１が積層された剥離シート４が、図示しない巻取りロールによりロール状に巻回されて接着ラベル製品となる点においては、図１１に示すラベル製造装置１００と同様である。なお、上記分離ロール５１の構成に代えて、図３に示すような分離板５４、いわゆるピールプレートを用いてもよく、この場合には、補強部材５が貼付された連続状カス部２２が剥離シート４の進行方向とは逆向きに、分離板５４によって急激に折り返されることにより、剥離シート４から剥離されカス上げされる。
【００３７】
しかしながら、従来のラベル製造装置１００における分離装置５０においては、剥離シート４上から分離された連続状カス部２２は、単独でカス巻上げロール５３により巻き取られていたが、本発明のラベル加工装置７０における分離装置５０においては、後述するように、連続状カス部２２は自身の表面に貼付された補強部材５と共にカス巻上げロール５３により巻き取られるように構成されている。よって、本発明のラベル加工装置７０を適用し、剥離シート４から連続状カス部２２のカス上げを行った場合、剥離シート４から分離されカス上げされる連続状カス部２２には、剥離シート４から分離される前から後述するように補強部材５が貼付されているので、カス上げ時に生ずる巻取りテンションに対する連続状カス部２２の強度を補強でき、カス切れを効果的に防止することができる。
【００３８】
次に、本発明のラベル加工装置を適用したラベル製造装置の動作説明を行う。なお、上述したように、長尺接着シート１がダイカットされるまでは、図１１に示す従来のラベル製造装置１００における動作と同様なので、以下においては、これ以降の本発明のラベル加工装置７０における動作説明のみを行う。
【００３９】
長尺接着シート１は、図１に示すようにダイカットされた後、貼付装置６０に搬送される。すると、図４に示すように、補強部材供給ロール６１に装着された２本のロール状の補強部材５、５から、補強部材５、５がそれぞれ繰り出されるとともに、貼付ロール６２により、この繰り出された補強部材５、５は、長尺接着シート１の連続状カス部２２の表面にそれぞれ貼付される。具体的には、図４に示すように、連続状カス部２２の両側の側縁カス部２２Ａ、２２Ａに連続的に貼付される。
【００４０】
なお、ここでは、ロール状に巻回された補強部材５は２本としているが、これに限定されない。例えば、長尺方向カス部（ここでは、連続状カス部２２の長尺方向に形成されたカス部を意味する）が３本出来る場合には、このロール状に巻回された補強部材５は３本とし、それぞれの長尺方向カス部に貼付するように変形することも可能である。要するに、この補強部材５の本数は、形成される長尺方向カス部の本数に応じて全ての長尺方向カス部に貼付するように構成してもよいし、また、長尺方向カス部が多くなればその分巻取りテンションに対する強度も増すので、長尺方向カス部の上記強度に応じて、カス切れが生じないように生成された長尺方向カス部の中から適宜選択して貼付するようにしてもよい。
【００４１】
次に、長尺接着シート１の両側に形成された側縁カス部２２Ａ、２２Ａに、補強部材５、５が貼付された後、この長尺接着シート１は分離装置５０に搬送される。その後、長尺接着シート１は分離装置５０において、連続状カス部２２は、分離ロール５１により剥離シート４上から分離されてカス巻上げロール５３により巻き取られる一方、ラベル部２１が積層された剥離シート４は、図示しない巻取りロールによりロール状に巻回されて接着ラベル製品となる。このカス巻上げロール５３により、連続状カス部２２が巻き取られる際には、上記のように、連続状カス部２２の両側の側縁カス部２２Ａ、２２Ａに補強部材５、５がそれぞれ貼付されているため、連続状カス部２２は、補強部材５、５により側縁カス部２２Ａ、２２Ａが補強され、補強部材５、５と共に巻き取られる。
【００４２】
次いで、本発明の貼付装置を適用したラベル製造装置の第２の実施形態について図７及び８を参照して説明する。図７は本発明の貼付装置を適用したラベル製造装置を示す概略図、図８は本発明の補強工程の他の例を示す斜視図である。
【００４３】
本実施形態のラベル製造装置１００Ｂは、上記第１の実施形態のラベル製造装置１００Ａと一部の配置構成が異なるのみで各装置の構成は上記第１の実施形態と同様である。すなわち、本実施形態のラベル製造装置１００Ｂにおいては、貼付装置６０がダイカット装置４０より前（上流側）に配置されており、ダイカットする前に補強部材５が貼付される。
【００４４】
図７及び図８を参照して具体的に説明すると、長尺接着シート１が送り出しロール１０から繰り出され、印刷機２０により印刷が施され、乾燥機３０により印刷部分を乾燥すると、次に、貼付装置６０により、補強部材５が貼付される。この図８には、後工程のダイカット装置４０におけるダイカット工程において、長尺接着シート１上にダイカットが施される部分が破線により示されており、２１′がラベル部２１に相当する部位であり、２２Ａ′が側縁部２２Ａに相当する部位（連続状カス部に相当する部位）であり、２２Ｂ′が横架部２２Ｂに相当する部位であり、側縁部２２Ａに相当する部位２２Ａ′、２２Ａ′に補強部材５が貼付される。長尺接着シート１にダイカット溝が施されていないだけで、貼付の仕方などは上記第１の実施形態と同様である。
【００４５】
このように、本発明の貼付装置６０は、ダイカット装置４０によるダイカット前でもダイカット後でも配置可能であり、使用者の使用環境において適宜配置をカスタマイズすることが出来る。
【００４６】
上述した実施形態の他、ダイカットの仕方次第では、排出される上記連続状カス部２２において、横架カス部２２Ｂが発生せず、長尺方向カス部すなわち長尺方向に沿って発生するカス部のみが発生する場合もある。すなわち、自動的にカス上げを行う場合には、カス部は連続して巻き取れる必要がある。従って、最低限発生するカス部は連続状である必要があり、更に言えば、長尺方向に沿って発生するカス部が連続状である必要がある。
【００４７】
このような長尺方向カス部のみが発生する具体例を図９及び図１０に示す。図９は本発明の補強工程の他の例を示す斜視図、図１０は長尺方向カス部又はこれに相当する部位に補強部材が貼付された状態の他の例を示す斜視図である。
【００４８】
この実施形態においては、長尺接着シート１に施されるダイカット溝Ｃにより、長尺接着シート１の長尺方向に中央カス部２２Ｃが、この中央カス部２２Ｃの両側にラベル部２１が各々長尺方向に複数形成されている。そして、このような状態の長尺接着シート１の中央カス部２２Ｃに対し、補強部材５を貼付する。なお、変形例として、上記第２の実施形態のようにダイカットされる前の長尺接着シート１に対し補強部材５を貼付するようにしてもよい。この場合には、上記第２の実施形態と同様、長尺方向の中央カス部２２Ｃに相当する部位に、補強部材５が貼付されることとなる。
【実施例】
【００４９】
本発明は、更に、以下の実施例で説明するが、これらは特許請求の範囲を限定するものではない。
【００５０】
本発明者は、上記ラベル製造装置１００Ａとして、ダイカット装置４０が付与された「ＬＰＭ−３００ＩＴ（リンテック株式会社製）」に上記貼付装置６０を付け加えて、連続状カス部２２の巻取り実験を行った。
【００５１】
長尺接着シート１として、脆質塩化ビニルフィルムを用いた感圧接着シート「ＴＥラベル（Ｂタイプ）  リンテック株式会社製  脆質塩化ビニルフィルム５０μｍにアクリル系感圧接着剤層２５μｍが施され、剥離シートが設けられた感圧接着シート」幅３００ｍｍ、長さ１２０ｍを使用した。ラベル部２１の形状としては、縦（長尺方向）１５０ｍｍ、横２８０ｍｍの長方形とし、縦方向における各ラベル部２１間の間隔１０ｍｍ、すなわち、排出される連続状カス部２２の横架カス部２２Ｂの幅１０ｍｍ、他方、両側の側縁カス部２２Ａ、２２Ａの幅をそれぞれ１０ｍｍに設定した。
【００５２】
補強部材５として、補強シート６には、厚さ２５μｍのポリエチレンテレフタレートフィルムを用いるとともに、その表面に離型層が形成され、他方、貼着剤層７には、アクリル系感圧接着剤を使用するとともに、その厚みを２５μｍとした感圧接着シートを使用した。この補強部材５として使用した感圧接着シートは、幅５ｍｍ、長さ２００ｍであり、ロール状に巻回されたロール状のものを２本使用した。
【００５３】
この２本の補強部材５、５を、図４のように補強部材供給ロール６１に装着し、長尺接着シート１の両側の各側縁カス部２２Ａ、２２Ａに補強部材５が貼付されるように貼付ロール６２の上方にセットした。
【００５４】
そして、印刷機２０を使用して２色のＵＶインキにより機械速度２０回転／ｍｉｎで長尺接着シート１に対し２色刷りを行い、その後、ダイカット、補強部材貼付、カス分離、カス上げを行った。
【００５５】
これに対し、比較例として、上記構成のうち、貼付装置６０を付け加えず、連続状カス部２２に補強部材５を貼付することなく、２色刷り、ダイカット、カス分離、カス上げを行った。
【００５６】
その結果、上記実施例においては、長尺接着シート１として脆質なフィルムを使用したにも関わらず、カス切れが生じることなくカス上げが出来たが、一方、上記比較例においては、カス分離直後にカス切れが発生しカス上げが全く出来なかった。
【００５７】
本発明においては、上述したように、カス上げ工程前に、連続状カス部に補強部材を貼付するようにしたため、簡易な構成でカス切れ問題の解決が図れる。また、連続状カス部に補強部材を貼付しカス上げするようにしたため、連続状カス部の排出量を少なくしてもカス切れを防止することができるので、ラベル部の製造の歩留まり向上が図れる。更に、連続状カス部が補強部材により補強されているため、連続状カス部を巻き取る速度が多少速くなっても、カス切れが生じないように構成できるので、作業速度の向上が図れる。
【図面の簡単な説明】
【００５８】
【図１】本発明のラベル加工装置を適用したラベル製造装置を示す概略図。
【図２】本発明のラベル加工装置の断面図。
【図３】本発明の分離装置における部材の変形例を示す断面図。
【図４】本発明の貼付工程を示す斜視図。
【図５】側縁カス部に補強部材が貼付された状態を示す斜視図。
【図６】図５のＹ−Ｙ断面図。
【図７】本発明の貼付装置を適用したラベル製造装置を示す概略図。
【図８】側縁カス部に相当する部位に補強部材が貼付された状態を示す斜視図。
【図９】本発明の貼付工程の他の例を示す斜視図。
【図１０】側縁カス部又はこれに相当する部位に補強部材が貼付された状態の他の例を示す斜視図。
【図１１】従来のラベル製造装置を示す概略図。
【図１２】従来におけるダイカット後の長尺接着シートの状態を示す図であり、（ａ）は斜視図、（ｂ）は（ａ）のＸ−Ｘ断面図。
【図１３】従来のカス上げ工程を示す斜視図。
【符号の説明】
【００５９】
１    長尺接着シート
２    表面基材
２１  ラベル部
２２  連続状カス部
２２Ａ  側縁カス部
２２Ａ′側縁カス部に相当する部位（連続状カス部に相当する部位）
２２Ｂ  横架カス部
２２Ｂ′横架カス部に相当する部位
２２Ｃ  中央カス部
３    接着剤層
４    剥離シート
５    補強部材
６    補強シート
７    貼着剤層
１０  送り出しロール
２０  印刷機
３０  乾燥機
４０  ダイカット装置
５０  分離装置
５１  分離ロール
５２  分離支持ロール
５３  カス巻き上げロール
５４  分離板
６０  貼付装置
６１  補強部材供給ロール
６２  貼付ロール
６３  貼付支持ロール
７０  ラベル加工装置
１００  ラベル製造装置
１００Ａ  ラベル製造装置
１００Ｂ  ラベル製造装置
【図１】
2008044171.tif 000003
【図２】
2008044171.tif 000004
【図３】
2008044171.tif 000005
【図４】
2008044171.tif 000006
【図５】
2008044171.tif 000007
【図６】
2008044171.tif 000008
【図７】
2008044171.tif 000009
【図８】
2008044171.tif 000010
【図９】
2008044171.tif 000011
【図１０】
2008044171.tif 000012
【図１１】
2008044171.tif 000013
【図１２】
2008044171.tif 000014
【図１３】
2008044171.tif 000015